(57)【要約】【課題】管理者がＶＲデバイスの映像コンテンツの表示状況を把握し、当該ＶＲデバイスを制御できる制御プログラム、制御方法、制御装置および制御サーバを提供する。【解決手段】制御プログラムは、１または複数のＶＲ（Virtual  Reality）デバイスに出力する映像情報、および映像情報に関連する画像情報を取得する処理をコンピュータに実行させる。制御プログラムは、ＶＲデバイスへの制御を実行するサーバに対しての指示情報の入力を受け付け可能な画面に画像情報を表示する処理をコンピュータに実行させる。制御プログラムは、サーバに対しての指示情報を受け付けた場合、指示情報をサーバへ送信するとともに、指示情報に基づいて画像情報を変更する処理をコンピュータに実行させる。【選択図】図２
2019201257.tif 000002
【特許請求の範囲】
【請求項１】
１または複数のＶＲ（Virtual  Reality）デバイスに出力する映像情報、および前記映像情報に関連する画像情報を取得し、
前記ＶＲデバイスへの制御を実行するサーバに対しての指示情報の入力を受け付け可能な画面に前記画像情報を表示し、
前記サーバに対しての指示情報を受け付けた場合、前記指示情報をサーバへ送信するとともに、前記指示情報に基づいて前記画像情報を変更する、
処理をコンピュータに実行させることを特徴とする制御プログラム。
【請求項２】
前記映像情報に基づいて前記映像情報に対応するサムネイルを生成する処理をさらにコンピュータに指示し、
前記取得する処理は、前記サムネイルを前記画像情報として取得することを特徴とする請求項１に記載の制御プログラム。
【請求項３】
前記表示する処理は、前記複数のＶＲデバイスのそれぞれに対応する前記画像情報を、選択可能に一覧表示することを特徴とする請求項２に記載の制御プログラム。
【請求項４】
前記変更する処理は、前記画面に表示中の前記画像情報が変化した場合、当該変化に同期して前記ＶＲデバイスに出力中の映像情報を変更する制御を実行させる指示情報を前記サーバに送信することを特徴とする請求項１〜３のいずれか１つに記載の制御プログラム。
【請求項５】
前記変更する処理は、さらに、前記ＶＲデバイスに出力中の映像情報が変化した場合、当該変化に基づいて前記画面に表示中の前記画像情報を変更することを特徴とする請求項４に記載の制御プログラム。
【請求項６】
前記表示する処理は、前記画像情報とともに、前記画像情報に関連する前記映像情報の前記ＶＲデバイスへの出力状況を示すステータスおよび出力時刻に関する情報を表示することを特徴とする請求項１〜５のいずれか１つに記載の制御プログラム。
【請求項７】
前記表示する処理は、前記映像情報のうちの、出力済みの映像情報に関する画像情報および出力中の映像情報に関するメニューの一覧を並べて表示することを特徴とする請求項１〜６のいずれか１つに記載の制御プログラム。
【請求項８】
１または複数のＶＲ（Virtual  Reality）デバイスに出力する映像情報、および前記映像情報に関連する画像情報を取得し、
前記ＶＲデバイスへの制御を実行するサーバに対しての指示情報の入力を受け付け可能な画面に前記画像情報を表示し、
前記サーバに対しての指示情報を受け付けた場合、前記指示情報をサーバへ送信するとともに、前記指示情報に基づいて前記画像情報を変更する、
処理をコンピュータが実行することを特徴とする制御方法。
【請求項９】
１または複数のＶＲ（Virtual  Reality）デバイスに出力する映像情報、および前記映像情報に関連する画像情報を取得する取得部と、
前記ＶＲデバイスへの制御を実行するサーバに対しての指示情報の入力を受け付け可能な画面に前記画像情報を表示する表示制御部と、
前記サーバに対しての指示情報を受け付けた場合、前記指示情報をサーバへ送信するとともに、前記指示情報に基づいて前記画像情報を変更する変更部と、
を有することを特徴とする制御装置。
【請求項１０】
１または複数のＶＲ（Virtual  Reality）デバイスに出力する映像情報を制御装置に提供する提供部と、
前記映像情報に関連する画像情報を表示した前記制御装置の画面に対して入力された指示情報を取得する取得部と、
前記指示情報に基づいて前記ＶＲデバイスへの制御を実行するＶＲ制御部と、
を有することを特徴とする制御サーバ。
【発明の詳細な説明】
【技術分野】
【０００１】
本発明は、制御プログラム、制御方法、制御装置および制御サーバに関する。
【背景技術】
【０００２】
映像コンテンツの表示を外部からリモコンで制御する手法が知られている。例えば、所定の単位で分割された映像コンテンツに対応するアイコンを指示して、当該アイコンに対応する映像コンテンツを再生させる手法が知られている。また、制御装置から、インターネットで接続された表示装置およびサーバに制御コマンドを送信し制御を行う手法が知られている。
【先行技術文献】
【特許文献】
【０００３】
【特許文献１】特開２００１−３０９２６９号公報
【特許文献２】特開２００４−３５７１８６号公報
【発明の概要】
【発明が解決しようとする課題】
【０００４】
しかしながら、従来の手法では、ＶＲ（Virtual  Reality）デバイスに映像コンテンツを表示する際に、管理者が外部から映像コンテンツの表示状況を把握し、的確な制御を行うことが困難な場合がある。例えば、ＶＲデバイスが利用者によって装着されている場合、管理者がコンテンツの表示状況を把握することは困難である。また、ＶＲデバイスの利用者と管理者が離れている場合、表示状況を把握することはさらに困難である。
【０００５】
一つの側面では、管理者がＶＲデバイスの映像コンテンツの表示状況を把握し、当該ＶＲデバイスを制御できる制御プログラム、制御方法、制御装置および制御サーバを提供することにある。
【課題を解決するための手段】
【０００６】
一つの態様では、制御プログラムは、１または複数のＶＲ（Virtual  Reality）デバイスに出力する映像情報、および前記映像情報に関連する画像情報を取得する処理をコンピュータに実行させる。制御プログラムは、前記ＶＲデバイスへの制御を実行するサーバに対しての指示情報の入力を受け付け可能な画面に前記画像情報を表示する処理をコンピュータに実行させる。制御プログラムは、前記サーバに対しての指示情報を受け付けた場合、前記指示情報をサーバへ送信するとともに、前記指示情報に基づいて前記画像情報を変更する処理をコンピュータに実行させる。
【発明の効果】
【０００７】
管理者がＶＲデバイスの映像コンテンツの表示状況を把握し、当該ＶＲデバイスを制御できる。
【図面の簡単な説明】
【０００８】
【図１】図１は、実施例の制御システムの構成の一例を示すブロック図である。
【図２】図２は、実施例の制御装置の構成の一例を示すブロック図である。
【図３】図３は、実施例のＶＲデバイスの構成の一例を示すブロック図である。
【図４】図４は、実施例の制御サーバの構成の一例を示すブロック図である。
【図５】図５は、コンテンツテーブルの一例を示す図である。
【図６】図６は、管理テーブルの一例を示す図である。
【図７】図７は、出力されるＶＲコンテンツの一例を示す図である。
【図８】図８は、制御装置による制御を説明するための図である。
【図９】図９は、実施例の制御処理の一例を示すシーケンス図である。
【図１０】図１０は、制御プログラムを実行するコンピュータの一例を示す図である。
【発明を実施するための形態】
【０００９】
以下、図面に基づいて、本願の開示する制御プログラム、制御方法、制御装置および制御サーバの実施例を詳細に説明する。なお、本実施例により、開示技術が限定されるものではない。また、以下の実施例は、矛盾しない範囲で適宜組みあわせてもよい。
【実施例】
【００１０】
図１は、実施例の制御システムの構成の一例を示すブロック図である。図１に示す制御システム１は、制御装置１０と、ＶＲデバイス２０と、制御サーバ３０とを有する。なお、制御システム１では、ＶＲデバイス２０の数は限定されず、任意の数のＶＲデバイス２０を有するようにしてもよい。また、制御装置１０、ＶＲデバイス２０および制御サーバ３０は、ネットワークＮを介して相互に通信可能に接続される。
【００１１】
ネットワークＮには、有線または無線を問わず、インターネットを始め、ＬＡＮ（Local  Area  Network）やＶＰＮ（Virtual  Private  Network）などの任意の種類の通信網を採用できる。また、ネットワークＮを介する制御装置１０とＶＲデバイス２０と制御サーバ３０との間のそれぞれの通信は、例えば、ＴＬＳ（Transport  Layer  Security）／ＳＳＬ（Secure  Sockets  Layer）等によって暗号化されてもよい。
【００１２】
制御システム１は、ユーザが装着したＶＲデバイス２０の制御を行うためのシステムである。また、例えば、制御装置１０はスマートフォンである。また、以降の説明では、制御装置１０を操作し、ＶＲデバイス２０を制御するユーザを管理者と呼ぶ。
【００１３】
制御装置１０は、１または複数のＶＲデバイス２０の制御を行う。制御装置１０は、制御サーバ３０を介してＶＲデバイス２０の制御を行うことができる。制御サーバ３０は、ＶＲデバイス２０にＶＲコンテンツを提供することができる。例えば、ＶＲコンテンツは画像データ等である。ＶＲデバイス２０は、ユーザがＶＲコンテンツを利用するタイミングで制御サーバ３０からＶＲコンテンツを取得してもよいし、あらかじめ所定のタイミングでＶＲコンテンツを取得し記憶していてもよい。
【００１４】
ここで、制御装置１０の構成について説明する。図２は、実施例の制御装置の構成の一例を示すブロック図である。図２に示すように、制御装置１０は、通信部１１と、入力部１２と、表示部１３と、記憶部１４と、制御部１５とを有する。なお、制御装置１０は、図２に示す機能部以外にも既知のコンピュータが有する各種の機能部、例えば各種の入力デバイスや音声出力デバイス等の機能部を有することとしてもかまわない。
【００１５】
通信部１１は、例えば、第３世代移動通信システム、ＬＴＥ（Long  Term  Evolution）等の携帯電話回線および無線ＬＡＮ等の通信モジュール等によって実現される。通信部１１は、ネットワークＮを介してＶＲデバイス２０および制御サーバ３０と有線または無線で接続され、ＶＲデバイス２０および制御サーバ３０との間で情報の通信を司る通信インタフェースである。
【００１６】
入力部１２は、各種の情報を制御装置１０に入力するための入力装置である。入力部１２は、キーボードやマウス、タッチパネル等に対応する。表示部１３は、各種の情報を表示する表示装置である。表示部１３は、制御部１５から出力される情報を表示する。表示部１３は、液晶ディスプレイやタッチパネル等の表示装置に対応する。
【００１７】
記憶部１４は、例えば、ＲＡＭ（Random  Access  Memory）、フラッシュメモリ（Flash  Memory）等の半導体メモリ素子、ハードディスクや光ディスク等の記憶装置によって実現される。記憶部１４は、制御部１５での処理に用いる情報を記憶する。
【００１８】
制御部１５は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１５は、例えば、ＡＳＩＣ（Application  Specific  Integrated  Circuit）やＦＰＧＡ（Field  Programmable  Gate  Array）等の集積回路により実現されるようにしてもよい。制御部１５は、取得部１５１と、生成部１５２と、表示制御部１５３と、変更部１５４とを有し、以下に説明する情報処理の機能や作用を実現または実行する。なお、制御部１５の内部構成は、図２に示した構成に限られず、後述する情報処理を行う構成であれば他の構成であってもよい。
【００１９】
取得部１５１は、１または複数のＶＲデバイス２０に出力する映像情報、および映像情報に関連する画像情報を取得する。例えば、映像情報はＶＲコンテンツである。また、例えば、画像情報は、ＶＲコンテンツに対応するサムネイルである。取得部１５１は、制御サーバ３０から映像情報および画像情報を取得することができる。
【００２０】
生成部１５２は、映像情報に基づいて、映像情報に対応するサムネイルを生成する。このとき、取得部１５１は、制御サーバ３０から画像情報を取得する代わりに、生成部１５２によって生成されたサムネイルを画像情報として取得することができる。
【００２１】
表示制御部１５３は、表示部１３を制御し、ＶＲデバイス２０への制御を実行する制御サーバ３０に対しての指示情報の入力を受け付け可能な画面に画像情報を表示させる。表示制御部１５３は、複数のＶＲデバイス２０のそれぞれに対応する画像情報を、選択可能に一覧表示させることができる。
【００２２】
また、表示制御部１５３は、画像情報とともに、画像情報に関連する映像情報のＶＲデバイス２０への出力状況を示すステータスおよび出力時刻に関する情報を表示させることができる。また、表示制御部１５３は、映像情報のうちの、出力済みの映像情報に関する画像情報および出力中の映像情報に関するメニューの一覧を並べて表示させることができる。
【００２３】
変更部１５４は、制御サーバ３０に対しての指示情報を受け付けた場合、指示情報を制御サーバ３０へ送信するとともに、指示情報に基づいて画像情報を変更する。
【００２４】
また、変更部１５４は、画面に表示中の画像情報が変化した場合、当該変化に同期してＶＲデバイス２０に出力中の映像情報を変更する制御を実行させる指示情報を制御サーバ３０に送信することができる。変更部１５４は、さらに、ＶＲデバイス２０に出力中の映像情報が変化した場合、当該変化に基づいて画面に表示中の画像情報を変更することができる。
【００２５】
次に、ＶＲデバイス２０の構成について説明する。図３は、実施例のＶＲデバイスの構成の一例を示すブロック図である。図３に示すように、ＶＲデバイス２０は、通信部２１と、入力部２２と、表示部２３と、記憶部２４と、制御部２５とを有する。なお、ＶＲデバイス２０は、図３に示す機能部以外にも既知のコンピュータが有する各種の機能部、例えば各種の入力デバイスや音声出力デバイス等の機能部を有することとしてもかまわない。
【００２６】
通信部２１は、例えば、第３世代移動通信システム、ＬＴＥ（Long  Term  Evolution）等の携帯電話回線および無線ＬＡＮ等の通信モジュール等によって実現される。通信部２１は、ネットワークＮを介して制御装置１０および制御サーバ３０と有線または無線で接続され、制御装置１０および制御サーバ３０との間で情報の通信を司る通信インタフェースである。
【００２７】
入力部２２は、各種の情報をＶＲデバイス２０に入力するための入力装置である。入力部２２は、ジャイロセンサや近接センサ等を用いた入力デバイスに対応する。表示部２３は、各種の情報を表示する表示装置である。表示部２３は、制御部２５から出力される情報を表示する。表示部２３は、ヘッドマウントディスプレイ等の表示装置に対応する。
【００２８】
記憶部２４は、例えば、ＲＡＭ、フラッシュメモリ等の半導体メモリ素子、ハードディスクや光ディスク等の記憶装置によって実現される。記憶部２４は、コンテンツ情報２４１を有する。コンテンツ情報２４１は、ＶＲコンテンツを提供するためのデータであり、画像やテキスト等が含まれる。
【００２９】
制御部２５は、例えば、ＣＰＵやＭＰＵ等によって、内部の記憶装置に記憶されているプログラムがＲＡＭを作業領域として実行されることにより実現される。また、制御部２５は、例えば、ＡＳＩＣやＦＰＧＡ等の集積回路により実現されるようにしてもよい。制御部２５は、表示制御部２５１を有し、以下に説明する情報処理の機能や作用を実現または実行する。なお、制御部２５の内部構成は、図２に示した構成に限られず、後述する情報処理を行う構成であれば他の構成であってもよい。
【００３０】
表示制御部２５１、表示部２３を制御し、ＶＲコンテンツを表示させる。このとき、表示制御部２５１は、制御装置１０および制御サーバ３０から直接的または間接的に指示を受け取り、処理を実行する。
【００３１】
さらに、制御サーバ３０の構成について説明する。図４は、実施例の制御サーバの構成の一例を示すブロック図である。図４に示すように、制御サーバ３０は、通信部３１と、記憶部３２と、制御部３３とを有する。なお、制御サーバ３０は、図４に示す機能部以外にも既知のコンピュータが有する各種の機能部、例えば各種の入力デバイスや音声出力デバイス等の機能部を有することとしてもかまわない。
【００３２】
通信部３１は、例えば、ＮＩＣ等によって実現される。通信部３１は、ネットワークＮを介して制御装置１０およびＶＲデバイス２０と有線または無線で接続され、制御装置１０およびＶＲデバイス２０との間で情報の通信を司る通信インタフェースである。
【００３３】
記憶部３２は、例えば、ＲＡＭ、フラッシュメモリ等の半導体メモリ素子、ハードディスクや光ディスク等の記憶装置によって実現される。記憶部３２は、コンテンツテーブル３２１および管理テーブル３２２を有する。また、記憶部３２は、制御部３３での処理に用いる情報を記憶する。
【００３４】
コンテンツテーブル３２１は、ＶＲコンテンツに関する情報を記憶する。図５は、コンテンツテーブルの一例を示す図である。図５に示すように、コンテンツテーブル３２１は、「種別」、「項目」、「ステージ」、「コンテンツＩＤ」といった項目を有する。
【００３５】
ここで、例として、ＶＲコンテンツの各ステージは、種別および項目でまとめられているものとする。図５の例では、「住宅」という種別の「台所」という項目には、「損害箇所特定」、「設問・解答」、「解説」というステージごとのＶＲコンテンツが含まれる。さらに、各ステージのＶＲコンテンツには、コンテンツＩＤが設定されている。
【００３６】
なお、図５の例は、損害保険に関する業務の研修に使用されるＶＲコンテンツに関するものである。例えば、種別が「住宅」、項目が「台所」、ステージが「損害箇所特定」であるＶＲコンテンツは、災害等により損害を受けた住宅の台所の映像を表示するものである。また、例えば、種別が「住宅」、項目が「台所」、ステージが「設問・解答」であるＶＲコンテンツは、住宅の台所の損害に関する設問および設問に対する解答の選択肢等を表示し、解答の選択を受け付けるものである。
【００３７】
管理テーブル３２２は、ユーザおよびＶＲデバイス２０を管理するための情報を記憶する。図６は、管理テーブルの一例を示す図である。図６に示すように、管理テーブル３２２は、「ユーザＩＤ」、「デバイスＩＤ」、「コンテンツＩＤ」、「ステータス」、「開始日時」、「終了日時」といった項目を有する。
【００３８】
例えば、図６の１行目は、ユーザ「Ｕ１０１」が、ＶＲデバイス「Ｄ１０１」を使用して、ＶＲコンテンツ「Ｃ１０１」を、「2018/4/16  11:00:00」から「2018/4/16  11:10:00」の間に閲覧したことを示している。
【００３９】
また、例えば、図６の３行目は、ユーザ「Ｕ１０１」が、ＶＲデバイス「Ｄ１０１」を使用して、ＶＲコンテンツ「Ｃ１１２」を、「2018/4/16  11:35:00」から閲覧中であることを示している。
【００４０】
図４の説明に戻って、制御部３３は、例えば、ＣＰＵやＭＰＵ等によって、内部の記憶装置に記憶されているプログラムがＲＡＭを作業領域として実行されることにより実現される。また、制御部３３は、例えば、ＡＳＩＣやＦＰＧＡ等の集積回路により実現されるようにしてもよい。制御部３３は、提供部３３１と、管理部３３２と、取得部３３３と、ＶＲ制御部３３４とを有し、以下に説明する情報処理の機能や作用を実現または実行する。なお、制御部３３の内部構成は、図４に示した構成に限られず、後述する情報処理を行う構成であれば他の構成であってもよい。
【００４１】
提供部３３１は、１または複数のＶＲデバイス２０に出力する映像情報を制御装置１０に提供する。また、提供部３３１は、ＶＲデバイス２０に映像情報を提供することができる。
【００４２】
管理部３３２は、ＶＲデバイス２０およびＶＲデバイス２０のユーザの管理を行う。具体的には、管理部３３２は、ユーザのＶＲデバイス２０およびＶＲコンテンツの利用状況に応じて管理テーブル３２２を更新する。
【００４３】
取得部３３３は、映像情報に関連する画像情報を表示した制御装置１０の画面に対して入力された指示情報を取得する。ＶＲ制御部３３４は、指示情報に基づいてＶＲデバイスへの制御を実行する。
【００４４】
ここで、制御装置１０によるＶＲデバイス２０の制御について説明する。まず、図７を用いて、ＶＲデバイス２０に出力されるＶＲコンテンツの遷移について説明する。図７は、出力されるＶＲコンテンツの一例を示す図である。なお、本実施形態では、例として、図５に示すＶＲコンテンツのうち、種別が「住宅」であるＶＲコンテンツが出力されるものとする。
【００４５】
なお、ＶＲデバイス２０は、図７で説明する画面の他に、ＱＲコード（登録商標）の読み取り画面を表示することができる。そして、制御装置１０は、当該読み取り画面を事前に読み取っておくことで、１または複数のＶＲデバイス２０と紐付けられる。具体的には、制御装置１０はＱＲコードによってＶＲデバイス２０を識別し、識別情報を制御サーバ３０の管理テーブル３２２に登録する。
【００４６】
図７に示すように、まず、ＶＲデバイス２０にはスタート画面が表示される。また、ＶＲデバイス２０は、スタート画面を表示中に特定の操作を受け付けた場合、チュートリアル画面を表示してもよい。
【００４７】
また、ＶＲデバイス２０は、スタート画面から、「台所」、「トイレ」、「浴室」、「和室」、「屋根」といった各項目の「損害箇所特定」ステージのＶＲコンテンツを表示する。さらに、ＶＲデバイス２０は、各項目の「設問・解答」ステージおよび「解説」ステージのＶＲコンテンツを表示する。
【００４８】
次に、図８を用いて制御装置１０からＶＲデバイス２０を制御する方法について説明する。図８は、制御装置による制御を説明するための図である。図８に示すように、制御装置１０には、各ＶＲコンテンツに対応するサムネイルが選択可能に一覧表示される。また、制御装置１０には、各ＶＲコンテンツの再生を開始した日時が表示される。
【００４９】
また、図８に示すように、制御装置１０は、画面の情報に閲覧済みのＶＲコンテンツに対応するサムネイルを表示し、画面の下方に未閲覧のＶＲコンテンツに対応するサムネイルを表示することができる。
【００５０】
図８のボタン１０ａは、ＶＲコンテンツを再生するためのボタンである。制御装置１０に表示されているボタン１０ａが押下されると、ＶＲデバイス２０において対応するＶＲコンテンツの再生が開始される。また、ボタン１０ｃは、再生中のＶＲコンテンツを停止するためのボタンである。制御装置１０に表示されているボタン１０ｃが押下されると、ＶＲデバイス２０において再生中のＶＲコンテンツは停止される。
【００５１】
アイコン１０ｂは、閲覧済みであることを示すものである。また、アイコン１０ｄは、未閲覧であることを示すものである。また、制御装置１０に表示される各アイコンは、制御サーバ３０の管理テーブル３２２のステータスと連動している。
【００５２】
また、設問および解答の選択肢が表示され、ユーザが解答を選択するＶＲコンテンツの場合、ユーザに代わって管理者が制御装置１０を介して解答を選択することができる。これにより、管理者は、操作に不慣れなユーザのサポートを行うことができる。
【００５３】
次に、実施例の制御システム１の動作について説明する。図９は、実施例の制御処理の一例を示すシーケンス図である。
【００５４】
図９に示すように、制御サーバ３０は、制御装置１０にＶＲコンテンツを提供する（ステップＳ１）。制御装置１０は、制御サーバ３０から提供されるＶＲコンテンツを取得する（ステップＳ２）。なお、ＶＲコンテンツは、映像情報の一例である。また、制御装置１０は、ＶＲデバイス２０で出力されるＶＲコンテンツの一部を取得してもよい。例えば、制御装置１０は、ＶＲデバイス２０で出力されるＶＲコンテンツの場面ごとのサムネイルを取得してもよい。
【００５５】
次に、制御装置１０は、ＶＲコンテンツに対応するサムネイルを画面に表示する（ステップＳ３）。そして、制御装置１０は、画面を介して指示情報を受け付け（ステップＳ４）、受け付けた指示情報を制御サーバ３０に送信する（ステップＳ５）。例えば、指示情報は、再生および停止の指示を示す情報である。
【００５６】
制御サーバ３０は、指示情報を基にＶＲデバイス２０を制御する（ステップＳ６）。ここで、ＶＲデバイス２０は、制御サーバ３０の制御に応じてＶＲコンテンツの出力を行う（ステップＳ７）。このとき、制御サーバ３０は、ＶＲデバイス２０におけるＶＲコンテンツの閲覧状況を制御装置１０に提供する（ステップＳ８）。
【００５７】
制御装置１０は、制御サーバ３０から閲覧状況を取得すると（ステップＳ９）、取得した閲覧状況に応じてサムネイルを画面に表示する。これにより、制御装置１０は、ＶＲデバイス２０で出力中のＶＲコンテンツの変化に基づいて、サムネイルを変更することができる。
【００５８】
また、制御装置１０は、再生開始を指示した時刻からの経過時間に応じてサムネイルを変化させていってもよい。これにより、閲覧状況を取得することなく、サムネイルをＶＲデバイス２０で出力中のＶＲコンテンツに同期させることができる。
【００５９】
このように、制御装置１０は、１または複数のＶＲデバイス２０に出力する映像情報、および映像情報に関連する画像情報を取得する。また、制御装置１０は、ＶＲデバイス２０への制御を実行する制御サーバ３０に対しての指示情報の入力を受け付け可能な画面に画像情報を表示する。また、制御装置１０は、制御サーバ３０に対しての指示情報を受け付けた場合、指示情報を制御サーバ３０へ送信するとともに、指示情報に基づいて画像情報を変更する。その結果、管理者がＶＲデバイスの映像コンテンツの表示状況を把握し、当該ＶＲデバイスを制御できる。
【００６０】
例えば、制御装置１０は、ステージの選択、再生や停止といったコンテンツ内の制御を行うことができるため、個別のユーザに合わせた的確な制御を行うことができる。例えば、管理者は、研修用のＶＲコンテンツについて、ユーザの理解度に合わせて再生および停止を行うことができる。また、管理者は、ＶＲコンテンツを閲覧中のユーザが不快感を訴えた場合、ＶＲコンテンツの出力を停止することができる。
【００６１】
また、制御装置１０は、映像情報に基づいて映像情報に対応するサムネイルを生成する。また、制御装置１０は、サムネイルを画像情報として取得する。その結果、管理者は、閲覧中のＶＲコンテンツの場面を直感的に把握することができる。
【００６２】
また、制御装置１０は、複数のＶＲデバイス２０のそれぞれに対応する画像情報を、選択可能に一覧表示する。その結果、管理者は、直感的な操作でＶＲデバイス２０を制御することができる。
【００６３】
また、制御装置１０は、画面に表示中の画像情報が変化した場合、当該変化に同期してＶＲデバイス２０に出力中の映像情報を変更する制御を実行させる指示情報を制御サーバ３０に送信する。その結果、管理者は、ＶＲデバイス２０を的確に制御することができる。
【００６４】
また、制御装置１０は、ＶＲデバイス２０に出力中の映像情報が変化した場合、当該変化に基づいて画面に表示中の画像情報を変更する。その結果、管理者は、閲覧中のＶＲコンテンツの場面を直感的に把握することができる。
【００６５】
また、制御装置１０は、画像情報とともに、画像情報に関連する映像情報のＶＲデバイス２０への出力状況を示すステータスおよび出力時刻に関する情報を表示させる。その結果、管理者は、ＶＲコンテンツの閲覧時間を把握することができる。
【００６６】
また、制御装置１０は、映像情報のうちの、出力済みの映像情報に関する画像情報および出力中の映像情報に関するメニューの一覧を並べて表示させる。その結果、管理者は、ＶＲコンテンツの閲覧状況を効率的に把握することができる。
【００６７】
なお、上記の実施例では、制御装置１０が、制御サーバ３０を介してＶＲデバイス２０を制御することとしたが、これに限定されない。例えば、制御装置１０は、制御サーバ３０が備える各機能を備え、ＶＲデバイス２０を直接制御してもよい。
【００６８】
また、上記の実施例では、ＶＲデバイス２０がコンテンツ情報２４１を記憶していることとしたが、これに限定されない。例えば、ＶＲデバイス２０は、制御装置１０又は制御サーバ３０から提供されるＶＲコンテンツをリアルタイムで出力するようにしてもよい。
【００６９】
図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、制御装置１０の取得部１５１と生成部１５２とを統合してもよい。また、図示した各処理は、上記の順番に限定されるものでなく、処理内容を矛盾させない範囲において、同時に実施してもよく、順序を入れ替えて実施してもよい。
【００７０】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００７１】
ところで、上記の各実施例で説明した各種の処理は、予め用意されたプログラムをコンピュータで実行することで実現できる。そこで、以下では、上記の各実施例と同様の機能を有するプログラムを実行するコンピュータの一例を説明する。図１０は、制御プログラムを実行するコンピュータの一例を示す図である。
【００７２】
図１０に示すように、コンピュータ４００は、各種演算処理を実行するＣＰＵ４０１と、データ入力を受け付ける入力装置４０２と、モニタ４０３とを有する。また、コンピュータ４００は、記憶媒体からプログラム等を読み取る媒体読取装置４０４と、各種装置と接続するためのインタフェース装置４０５と、他の情報処理装置等と有線または無線により接続するための通信装置４０６とを有する。また、コンピュータ４００は、各種情報を一時記憶するＲＡＭ４０７と、ハードディスク装置４０８とを有する。また、各装置４０１〜４０８は、バス４０９に接続される。
【００７３】
ハードディスク装置４０８には、図２に示した取得部１５１、生成部１５２、表示制御部１５３および変更部１５４の各処理部と同様の機能を有する制御プログラムが記憶される。また、ハードディスク装置４０８には、記憶部１４を実現するための各種データが記憶される。
【００７４】
入力装置４０２は、例えば、コンピュータ４００の管理者から操作情報等の各種情報の入力を受け付ける。モニタ４０３は、例えば、コンピュータ４００の管理者に対して出力画面等の各種画面を表示する。インタフェース装置４０５は、例えば印刷装置等が接続される。通信装置４０６は、例えば、図２に示した通信部１１と同様の機能を有しネットワークＮ、ＶＲデバイス２０および制御サーバ３０と接続され、各種情報をやりとりする。
【００７５】
ＣＰＵ４０１は、ハードディスク装置４０８に記憶された各プログラムを読み出して、ＲＡＭ４０７に展開して実行することで、各種の処理を行う。また、これらのプログラムは、コンピュータ４００を図２に示した取得部１５１、生成部１５２、表示制御部１５３および変更部１５４として機能させることができる。
【００７６】
なお、上記の提供プログラムは、必ずしもハードディスク装置４０８に記憶されている必要はない。例えば、コンピュータ４００が読み取り可能な記憶媒体に記憶されたプログラムを、コンピュータ４００が読み出して実行するようにしてもよい。コンピュータ４００が読み取り可能な記憶媒体は、例えば、ＣＤ−ＲＯＭやＤＶＤ（Digital  Versatile  Disc）、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの提供プログラムを記憶させておき、コンピュータ４００がこれらから提供プログラムを読み出して実行するようにしてもよい。
【符号の説明】
【００７７】
１  制御システム
１０  制御装置
２０  ＶＲデバイス
３０  制御サーバ
１１、２１、３１  通信部
１２、２２  入力部
１３、２３  表示部
１４、２４、３２  記憶部
１５、２５、３３  制御部
１５１  取得部
１５２  生成部
１５３、２５１  表示制御部
１５４  変更部
２４１  コンテンツ情報
３２１  コンテンツテーブル
３２２  管理テーブル
Ｎ  ネットワーク
【図１】
2019201257.tif 000003
【図２】
2019201257.tif 000004
【図３】
2019201257.tif 000005
【図４】
2019201257.tif 000006
【図５】
2019201257.tif 000007
【図６】
2019201257.tif 000008
【図７】
2019201257.tif 000009
【図８】
2019201257.tif 000010
【図９】
2019201257.tif 000011
【図１０】
2019201257.tif 000012